(57)【要約】  電子装置との接続を確立するための装置は、接続装置と、レバーと、表面を有する台座とを備える。表面は台座との回転度を有するラッチを備える。接続装置は、台座の表面に平行な第１の軸による１つの回転度を有し、電子コネクタと、第１の起伏とを備える。レバーは連結によって台座に連結され、第１の回転軸と平行な第２の軸による少なくとも１つの回転度を備える。レバーは接続装置の第１の起伏に対応する第２の起伏と、接続装置との接続を促進するように適応される弾性部品とを備える。レバーは、接続装置の回転がラッチの回転によって可能となった後に接続装置と接触するように構成される。【選択図】図２
2017509127.tif 000002
【特許請求の範囲】
【請求項１】
電子装置との接続を確立するための装置であって、
表面を有し、台座との回転度を有するラッチを備える台座と、
前記台座の前記表面に平行な第１の軸による１つの回転度を有し、電子コネクタと第１の起伏とを備える接続装置と、
連結によって前記台座に連結され、前記第１の回転軸と平行な第２の軸による少なくとも１つの回転度を備えるレバーであって、
前記接続装置の前記第１の起伏に対応する第２の起伏と、
前記接続装置との接続を促進するように適応される弾性部品とを備えるレバーと、
を備える装置であって、
前記レバーは、前記接続装置の回転が前記ラッチの回転によって可能となった後に前記接続装置と接触するように構成される、装置。
【請求項２】
請求項１に記載の装置であって、前記台座はリングと、前記リングに対して少なくとも１つの回転度を有するキャリッジモジュールとを備える、装置。
【請求項３】
起伏は直円錐である、請求項１に記載の装置。
【請求項４】
前記直円錐は平縁を備える、請求項３に記載の装置。
【請求項５】
前記弾性部品はばねである、請求項１に記載の装置。
【請求項６】
前記弾性部品は前記レバーの素材特性に関連する、請求項１に記載の装置。
【請求項７】
請求項１に記載の装置であって、前記接続装置と前記レバーとの間の摩擦係数は０．３０より高い、装置。
【請求項８】
請求項１に記載の装置であって、前記台座は前記接続装置が１８０°を超えて回転することを防ぐ障害を備える、装置。
【請求項９】
前記電子コネクタはオスコネクタである、請求項１に記載の装置。
【請求項１０】
前記台座の前記表面は平面である、請求項１に記載の装置。
【発明の詳細な説明】
【技術分野】
【０００１】
本発明は、電子装置との接続を確立するための電子コネクタを備える装置に関し、２つの装置間の機械的接続の分野に関する。本発明は、より具体的には、電気的接続が関与するときに、２つの装置間の機械的接続の分野に関する。
【背景技術】
【０００２】
従来技術では、電子装置間の接続は通常、一方の装置上の固定オスコネクタを他方の装置上の固定メスコネクタに接続することによって行われる。ただし、大きな歪みがかかると、装置のうちの１つは損傷する。
【０００３】
格納可能なコネクタは、たとえばＵＳＢスティックなどの従来技術で見られる。格納は平行移動または回転によって行うことができ、コネクタが異常な歪みから保護されるような位置にコネクタを置くように適応される。ただし、コネクタが最終位置に達すると、異常な歪みが加わるとコネクタは損傷する。さらに、両方の装置が損傷することもある。
【発明の概要】
【０００４】
本発明は、従来技術において存在する前述の欠点を解決することを目的とする。
【０００５】
この目的のために、第１の態様によれば、本発明は、電子装置との接続を確立するための電子コネクタを備える装置を考案する。本装置は、表面を有する台座と、接続装置と、レバーとを備える。台座は台座との回転度を有するラッチを備える。接続装置は、台座の表面に平行な第１の軸による１つの回転度を有し、電子コネクタと、第１の起伏とを備える。レバーは連結によって台座に連結され、第１の回転軸と平行な第２の軸による少なくとも１つの回転度を備える。レバーは接続装置の第１の起伏に対応する第２の起伏と、接続装置との接続を促進するように適応される弾性部品とを備える。レバーは接続装置の回転がラッチの回転によって可能となった後に、接続装置と接触するように構成される。
【０００６】
本発明は格納可能な接続装置を有する利点を提示し、したがって、格納位置において電子コネクタを異常な歪みから保護する。さらに、レバー上の起伏と接続装置の嵌合によって、接続装置をロック位置と呼ばれる位置に維持することができる。それによって、装置と電子装置の接続が可能になる。
【０００７】
さらに、接続装置がロック位置にあり、異常な歪みが加えられる場合は、接続装置の起伏はレバーの起伏から移動可能であり、したがって装置または電子装置を損傷せずに、電子装置を解除することができる。
【０００８】
本発明の実施形態では、台座はリングとキャリッジモジュールとを備え、キャリッジモジュールは少なくとも１つの回転度をリングに対して有する。
【０００９】
回転によって、装置を備える機器と電子装置との間の接続の自由度をさらに大きくできる。さらに、電子装置および機器を用いるとき、ユーザは装置および機器を互いに回転させてもよい。また、装置は異常な歪みが加えられるときに回転して、損傷を防いでもよい。
【００１０】
本発明の実施形態では、起伏は直円錐である。
【００１１】
本実施形態の有利点は、異常な歪みが加えられるときに、接続装置を容易に起伏から移動できることである。また、通常の使用条件では、接続装置の位置はさらに安定している。
【００１２】
特許請求された本発明の実施形態によれば、直円錐は平縁を備える。
【００１３】
平縁は、さらに抵抗力のある起伏を有し、格納位置とロック位置との移行が円滑であるという利点を提示する。
【００１４】
特許請求された本発明の実施形態によれば、弾性手段はばねである。
【００１５】
弾性手段がひもであることの有利点は、簡単に弾性手段を交換可能であることである。
【００１６】
特許請求された本発明の実施形態によれば、弾性手段はレバーの素材特性に関連する。
【００１７】
レバーの素材に関連する弾性手段は、他の部品の品質に影響を受けないレバーを有するという利点を提示する。
【００１８】
特許請求された本発明の実施形態によれば、接続装置とレバーとの間の摩擦係数は０．３０より高い。
【００１９】
接続装置とレバーとの間の摩擦係数は、レバーの起伏から移動される前に接続装置が抵抗することができる歪みを規定する。
【００２０】
特許請求された本発明の実施形態によれば、台座は接続装置が１８０°を超えて回転しないように防ぐ障害を備える。
【００２１】
この提供により、接続装置、より具体的には電子コネクタが過度に回転することを防ぎ、台座に当たることによって弱まることを防ぐ。
【００２２】
特許請求された本発明の実施形態によれば、電子コネクタはオスコネクタである。
【００２３】
オスコネクタを有する利点は、コンピュータおよび移動通信装置など、ほとんどの電子装置との接続が可能となることである。
【００２４】
特許請求された本発明の実施形態によれば、台座の表面は平面である。
【００２５】
台座表面が平面であることによって、ほとんどの装置とさらに安定して接続することができ、容積を低減することができる。
【００２６】
本発明のその他の利点、目的および特徴は、添付図を参照して記載された、いかなる意味においても非限定的な例である以下の説明から明らかになるであろう。
【図面の簡単な説明】
【００２７】
【図１】接続装置が格納位置にある場合の、本発明の装置の第１の具体的な実施形態の断面を概略的に示す。
【図２】接続装置が移行位置にある場合の、本発明の装置の第１の具体的な実施形態の断面を概略的に示す。
【図３】接続装置がロック位置にある場合の、本発明の装置の第１の具体的な実施形態の断面を概略的に示す。
【図４】電子装置に接続される接続装置がロック位置にある場合の、本発明の装置の第１の具体的な実施形態の断面を概略的に示す。
【図５】接続装置が歪みに対して移動している、本発明の装置の第１の具体的な実施形態の断面を概略的に示す。
【図６】接続装置が別の歪みに対して移動している、本発明の装置の第１の具体的な実施形態の断面を概略的に示す。
【図７】本発明の電子装置の装置の実施形態を備える機器の第１の具体的な実施形態の断面を概略的に示す。
【図８】本発明の電子装置の装置の実施形態を備える機器の第１の具体的な実施形態の斜視図を概略的に示す。
【図９】接続装置が格納位置にある場合の、本発明の装置の第２の具体的な実施形態の断面を概略的に示す。
【図１０】接続装置が移行位置にある場合の、本発明の装置の第２の具体的な実施形態の断面を概略的に示す。
【図１１】接続装置がロック位置にある場合の、本発明の装置の第２の具体的な実施形態の断面を概略的に示す。
【図１２】電子装置に接続される接続装置がロック位置にある場合の、本発明の装置の第２の具体的な実施形態の断面を概略的に示す。
【図１３】接続装置が歪みに対して移動している、本発明の装置の第２の具体的な実施形態の断面を概略的に示す。
【図１４】接続装置が別の歪みに対して移動している、本発明の装置の第２の具体的な実施形態の断面を概略的に示す。
【図１５】本発明の電子装置の装置の実施形態を備える機器の第２の具体的な実施形態の断面を概略的に示す。
【発明の詳細な説明】
【００２８】
図の縮尺は均一ではないことに留意されたい。
【００２９】
図１は装置１０の実施形態の断面を示す。
【００３０】
以下、起伏１１１は凸状を表し、起伏１０８は凹状を表す。互いに対応している限り、起伏１１１は凹状であってもよく、起伏１０８は凸状であってもよいことを理解されたい。
【００３１】
特許請求された本発明の代表的な実施形態によれば、装置１０は、表面１０３を備える台座１０２を備える。表面１０３は好ましくは平面である。表面１０３は、電子コネクタ１０１がロック位置にあるとき、電子コネクタ１０１が出現する表面であってもよい。好ましくは、電子コネクタ１０１を備える接続装置またはコネクタ１０６が格納位置にあるとき、どの部分も表面１０３から出現しない。
【００３２】
台座１０２の上部は接続装置１０６が格納位置にある間、接続装置１０６を保存する部分であってもよい。台座１０２の上部は円形であってもよい。
【００３３】
特許請求された本発明の代表的な実施形態によれば、台座１０２は、格納時に接続装置１０６が過度に回転しないように構成される停止部を備えていてもよい。停止部は表面１０３に平行であってもよい。停止部は、コネクタ１０６が格納されるときに電子コネクタ１０１と接触してもよい。停止部は接続装置１０６が１８０°を超えて回転しないようにする障害であってもよい。好ましくは、キャリッジモジュール１１２は停止部を備える。
【００３４】
台座１０２は少なくとも１つの穴を備えていてもよい。少なくとも１つの穴は、接続装置１０６の少なくとも１つのシャフトを保持するように構成される。同軸を有する２つの穴があることが好ましい。
【００３５】
特許請求された本発明の代表的な実施形態によれば、台座１０２は、リング１１３およびキャリッジモジュール１１２を備えていてもよい。リング１１３およびキャリッジモジュール１１２は台座１０２の表面１０３に垂直な１つの回転度を有する。好ましくは、回転度の軸はレバー１０９の起伏の重心を備える。これによって、接続装置１０６がロック位置に配置されると、接続装置１０６は台座に関して回転可能となる。
【００３６】
特許請求された本発明の代表的な実施形態によれば、装置１０は接続装置１０６を備える。接続装置１０６は、接続装置１０６に対して固定される電子コネクタ１０１を備える。好ましくは電子コネクタ１０１はオスコネクタである。電子コネクタ１０１は、
ＵＳＢ（ユニバーサルシリアルバス）コネクタ、
マイクロＵＳＢコネクタ、
ライトニングコネクタ（Ａｐｐｌｅ  Ｉｎｃの登録商標）、または
任意の種類の電子コネクタ、
であってもよいが、これらに限定されない。
【００３７】
接続装置１０６は、台座１０２のキャリッジモジュールと少なくとも１つの回転度を有していてもよい。好ましくは、接続装置１０６は１つの軸１０７の回りを回転する。軸１０７は台座の表面１０３に平行であってもよい。
【００３８】
特許請求された本発明の代表的な実施形態によれば、接続装置１０６は少なくとも１つのシャフトを備えていてもよい。シャフトは、軸１０７の回りを台座１０２に対して接続装置１０６の回転を可能にするように構成される。台座１０２の２つの穴内に配置される２つのシャフトがあることが好ましい。台座１０２は移行の嵌合を構成するように調整される。
【００３９】
具体的な実施形態では、台座１０２は少なくとも１つのシャフトを備え、接続装置１０６は穴を備える。
【００４０】
具体的な実施形態では、シャフトは穴の形状に対応する起伏であり、シャフトは穴に嵌合し、この機構によって、軸１０７による接続装置１０６と台座１０２との間の回転が可能となる。
【００４１】
特許請求された本発明の代表的な実施形態によれば、接続装置１０６は、凹状起伏１０８を備える。好ましくは、起伏１０８は平縁を備える凹状の直円錐である。
【００４２】
特許請求された本発明の代表的な実施形態によれば、接続装置１０６は、傾斜した停止部を備えていてもよい。傾斜した停止部は、接続装置１０６を格納位置に維持するように構成されてもよい。接続装置が格納位置にあるとき、傾斜した停止部はラッチ１０４と接触してもよい。ラッチ１０４の表面は傾斜した停止部の傾斜に対応して傾斜していてもよい。
【００４３】
特許請求された本発明の代表的な実施形態によれば、装置１０はラッチ１０４を備える。ラッチ１０４は、台座１０２のリング１１３と少なくとも１つの回転度を有する。表面１０３に平行な軸１０５の回りに１つの回転度のみがあることが好ましい。たとえば、車軸関節は、ラッチ１０４が備えるシャフトを台座１０２が備える穴に嵌合することによって実現される。
【００４４】
具体的な実施形態では、台座１０２は少なくとも１つのシャフトを備え、ラッチ１０４は穴を備える。
【００４５】
具体的な実施形態では、シャフトは穴の形状に対応する起伏であり、シャフトは穴に嵌合し、この機構によって、軸１０５によるラッチ１０４と台座１０２との間の回転が可能となる。
【００４６】
特許請求された本発明の代表的な実施形態によれば、ラッチ１０４はＬ字型の形状を有していてもよい。Ｌ字型の一部は接続装置１０６と接触するように構成される、傾斜した先端を備える。Ｌ字型の別の部分は突出してもよく、ユーザが接続装置１０６を解除するために用いるように構成されてもよい。具体的な実施形態では、Ｌ字型の別の部分は、Ｌ字型の部分と接触するレバー１０９によって押される。レバー１０９はユーザによって操作される。
【００４７】
具体的な実施形態では、起伏１０８は突出するか、または凸状であり、ラッチ１０４の傾斜した先端は接続装置の起伏１０８と接触するように構成される。
【００４８】
特許請求された本発明の代表的な実施形態によれば、装置１０はレバー１０９を備える。レバー１０９は、台座１０２のリング１１３と少なくとも１つの回転度を有していてもよい。表面１０３に平行な軸１１０の回りに１つの回転度のみがあることが好ましい。たとえば、車軸関節は、レバー１０９が備えるシャフトを台座１０２が備える穴に嵌合することによって実現される。
【００４９】
具体的な実施形態では、台座１０２は少なくとも１つの穴を備え、レバー１０９は少なくとも１つのシャフトを備える。
【００５０】
具体的な実施形態では、シャフトは穴の形状に対応する起伏である。シャフトは穴に嵌合し、この機構によって、軸１１０によるレバー１０９と台座１０２との間の回転が可能となる。
【００５１】
特許請求された本発明の代表的な実施形態によれば、レバー１０９は凸状起伏１１１を備えていてもよい。好ましくは、レバー１０９の凸状起伏１１１は、接続装置１０６上の凹状起伏１０８に対応する。好ましくは、起伏１１１は平縁を備える凸状の直円錐である。
【００５２】
凸状起伏１１１および凹状起伏１０８は、０．３０を超える摩擦係数を有していてもよい。
【００５３】
特許請求された本発明の代表的な実施形態によれば、レバー１０９は凹状起伏１１１を備えていてもよい。好ましくは、レバー１０９の凹状起伏１１１は接続装置１０６上の凸状起伏１０８に対応する。好ましくは、起伏１０８は平縁を備える凸状直円錐である。
【００５４】
凹状起伏１１１および凸状起伏１０８は０．３０を超える摩擦係数を有していてもよい。
【００５５】
別の実施形態では、起伏１１１は球形の突起部分であり、起伏１０８は起伏１１１に対応する。別の実施形態では起伏１０８は球形の突起部分であり、起伏１１１は起伏１０８に対応する。
【００５６】
特許請求された本発明の代表的な実施形態によれば、レバー１０９は、ラッチ１０４の回転によって接続装置１０６の回転が可能となってから、レバー１０９を最初の位置に戻すように適応される弾性部品または弾性手段を備える。弾性部品は、接続装置１０６の回転がラッチ１０４の回転によって可能になってから、接続装置１０６との接触を促進するように構成されてもよい。弾性部品はばねであってもよい。別の実施形態では、弾性手段はレバー１０９の素材特性に関連していてもよい。
【００５７】
台座１０２は、好ましくはステンレス鋼であり、プラスチック部分を備えていてもよい。電子コネクタ１０１ではない接続装置１０６の部分は、プラスチックであってもよい。ラッチ１０４は真ちゅうまたはプラスチックであってもよい。レバー１０９は真ちゅうであってもよい。
【００５８】
図１から３は装置１０を使用する通常の条件を記載する。図１から７では、装置１０は図１の実施形態に対応する。
【００５９】
通常の使用条件では、装置１０の最初の位置は図１に示す格納位置である。格納位置は、電子装置４０１への接続が不可能である接続装置１０６の位置として規定されてもよい。格納位置では、接続装置１０６の傾斜したスロープはラッチ１０４の傾斜した先端と接触してもよい。具体的な実施形態では、起伏１０８は突起または凸状であり、起伏１０８は格納位置でラッチ１０４の傾斜した先端と接触する。接続装置１０６は格納されてもよく、接続装置１０６のいずれの部分も台座１０２の表面１０３から突出していない。
【００６０】
図２はラッチ１０４の起動を表す。ラッチ１０４は回転して、接続装置１０６の傾斜したスロープまたは起伏１０８と、ラッチ１０４の傾斜した先端との間の接触を解放してもよい。ラッチ１０４はまた、レバー１０９と接触してもよく、レバーを台座１０２の表面１０３から離れて回転させてもよい。したがって、凹状起伏１０８および凸状起伏１１１または凸状起伏１０８および凹状起伏１１１を嵌合することによって、接続装置１０６はロック可能な位置に回転してもよい。
【００６１】
具体的な実施形態では、ユーザはレバー１０９を起動してもよい。軸１１０の回りを回転するレバー１０９の起動によって、レバー１０９は台座１０２の表面１０３から離れて回転する。レバー１０９は次に、ラッチ１０４と接触する。レバー１０９からラッチ１０４に印加される力を受けて、レバー１０９の回転によってラッチは軸１０５の回りを回転し、ラッチの傾斜した先端と接続装置１０６との間の接触を解放する。したがって、接続装置１０６は、起伏１０８および起伏１１１を嵌合することによって、接続装置１０６がロック可能な位置に回転してもよい。接続装置１０６の回転は９０度回転したところで、台座１０２の停止部によって停止される。ユーザはレバー１０９を解除することができ、レバー１０９は弾性部品によってレバー１０９の最初の位置に押し戻される。レバー１０９が最初の位置に入ると、起伏１０８および１１１は嵌合し、接続装置１０６はロック位置になる。
【００６２】
図３はロック位置にある接続装置１０６を表す。ロック位置は電子装置４０１が装置１０に接続してもよい位置として規定されてもよい。ロック位置は、接続装置１０６上の凹状起伏１０８とレバー１０９上の凸状起伏１１１を嵌合させること、または接続装置１０６上の凸状起伏１０８とレバー１０９上の凹状起伏１１１とを嵌合させることによって、特徴付けられてもよい。
【００６３】
接続装置１０６を格納するために、図１から３に記載するステップを逆の順序で実行してもよい。
【００６４】
図４は装置１０と電子装置４０１との接続を表す。電子装置４０１は、
スマートホン、タブレット、タブレットコンピュータ、コンピュータなどの移動通信装置と、
電気通信装置、または
任意の種類の電子特徴を実装する装置と、
を含んでいてもよいが、これらに限定されない。
【００６５】
電子装置４０１は幅を有し、たとえば平行であってもよい２つの表面と、電子コネクタが存在する垂直な表面を有していてもよい。電子装置４０１の電子コネクタは好ましくはメスコネクタである。表面は先端で結合される。電子装置４０１は装置１０の表面１０３と接触してもよい。
【００６６】
装置１０の電子コネクタ１０１は電子装置４０１上の電子コネクタと嵌合する。
【００６７】
異常な使用条件において、接続装置１０６と台座１０２との間で回転軸１０７に垂直な部分を備える方向に、歪み４０２が電子装置４０１に加えられることもある。歪み４０２の方向は、接続装置１０６を回転させて格納位置に戻す方向であってもよい。
【００６８】
別の異常な使用条件では、接続装置１０６と台座１０２との間で回転軸１０７に垂直な部分を備える方向に、歪み４０３が電子装置４０１に加えられることもある。歪み４０３の方向は、接続装置１０６を回転させて格納位置から離す方向であってもよい。
【００６９】
起伏１１１は対称な形状を有していてもよい。したがって、電子装置４０１は、同じ値の歪み４０２および４０３に抵抗することができる。電子装置４０１の抵抗は起伏１１１およびレバー１０９と接続装置１０６との間の摩擦係数によるものであってもよい。摩擦係数は、好ましくは０．３０を超えていてもよい。起伏１１１が直円錐であるとき、起伏１１１の頂点の角度は、接続装置１０６が移動される前に抵抗することができる歪み４０２、４０３を修正してもよい。
【００７０】
図５は、歪み４０３が装置１０および／または電子装置４０１が抵抗することができる歪みの値を超えるか、または歪み４０３が装置１０および／または電子装置４０１の歪み閾値を超過する場合の装置１０の位置を表す。歪み４０３が増加するにつれ、レバー１０９は台座１０２の表面１０３から離れて回転してもよく、接続装置１０６がレバー１０９の回転軸１１０に最も近い起伏１１１側で解除される地点まで、凹状起伏１０８および凸状起伏１１１の嵌合を解除する。弾性手段はレバー１０９を最初の位置まで戻してもよい。
【００７１】
同時に、歪みが増加し、接続装置１０６が回転すると、電子装置４０１の先端は台座１０２の表面１０３と接触してもよく、電子装置４０１を除去してもよい。したがって、歪みが増加すると、電子装置４０１は、装置１０および電子装置４０１の損傷を防いで解除される。
【００７２】
図６は、歪み４０２が装置１０および／または電子４０１が抵抗することができる歪みの値を超えるか、または歪み４０２が装置１０および／または電子装置４０１の歪み閾値を超過する場合の装置１０の位置を表す。歪み４０２が増加するにつれ、レバー１０９は台座１０２の表面１０３から離れて回転してもよく、それによって接続装置１０６がレバー１０９の回転軸１１０から最も遠い起伏１１１側で解除される地点まで、凹状起伏１０８および凸状起伏１１１の嵌合を解除する。弾性手段はレバー１０９を最初の位置まで戻してもよい。
【００７３】
同時に、歪みが増加し、接続装置１０６が回転すると、電子装置４０１の先端は台座１０２の表面１０３と接触してもよく、電子装置４０１を除去してもよい。したがって、歪みが増加すると、電子装置４０１は、装置１０および電子装置４０１の損傷を防いで解除される。
【００７４】
図７は、電子装置４０１に接続する本発明の装置１０を備える機器７０１の具体的な実施形態を表す。
【００７５】
装置１０は表面１０３が突出しなくてもよいように、機器に内蔵されてもよい。別の実施形態では表面１０３は突出する。
【００７６】
機器７０１は、
デジタルカメラ、
ドックステーション、または
電子特徴を実装する任意の種類の装置
を含んでいてもよいが、これらに限定されない。
【００７７】
特許請求された本発明の代表的な実施形態によれば、装置１０は機器７０１に対して少なくとも１つの回転度を有していてもよい。少なくとも１つの回転度は、好ましくは、台座１０２の表面１０３に垂直である。
【００７８】
図８は、本発明の装置１０を備える機器７０１の具体的な実施形態を表す。
【００７９】
特許請求された本発明の代表的な実施形態によれば、装置１０は台座１０２を備える。台座１０２は、リング１１３と、キャリッジモジュール１１２とを備える。リング１１３およびキャリッジモジュール１１２は台座の表面１０３に垂直な軸によって１つの回転度を有する。リング１１３は機器７０１に固定されてもよい。
【００８０】
好ましくは、接続装置１０６は台座１０２のキャリッジモジュール１１２に対して少なくとも１つの回転度を有していてもよい。好ましくは、接続装置１０６は１つの軸１０７の回りを回転する。軸１０７は台座の表面１０３に平行であってもよい。好ましくは、接続装置１０６上に台座のキャリッジモジュールの２つの穴内に配置される２つのシャフトがある。台座１０２は移行の嵌合を構成するように調整される。
【００８１】
好ましくは、ラッチ１０４と台座のリング１１３との間に、表面１０３に平行な軸１０５の回りに少なくとも１つの回転度がある。たとえば、車軸関節はラッチ１０４が備えるシャフトを、台座１０２のリング１１３が備える穴に嵌合することによって実現される。
【００８２】
好ましくは、レバー１０９と台座のリング１１３との間に、表面１０３に平行な軸１１０の回りに少なくとも１つの回転度がある。たとえば、車軸関節はレバー１０９が備えるシャフトを、台座１０２のリング１１３が備える穴に嵌合することによって実現される。
【００８３】
好ましい実施形態では、キャリッジモジュール１１２は接続装置１０６を備え、リング１１３、ラッチ１０４、レバー１０９および弾性部品に対してレバー１０９の起伏１１１の重心を備える軸の回りを回転する。これによって、接続装置１０６がロック位置に配置されると、接続装置１０６は台座に対して回転可能になる。
【００８４】
軸１０７、１０５および１１０は台座１０２の表面１０３に平行な平面にあってもよい。
【００８５】
図９、１０、１１、１２、１３、１４および１５は、装置１０の第２の具体的な実施形態を表し、起伏１０８は凸状起伏および起伏１１１は凹状起伏である。
【００８６】
図９から１１は装置１０の通常の使用条件を記載する。図９から１５において、装置１０は図９の実施形態に対応する。
【００８７】
通常の使用条件では、装置１０の最初の位置は図９に示す格納位置である。
【００８８】
図１０はラッチ１０４の起動を表す。ラッチ１０４は回転してもよく、接続装置１０６の起伏１０８との接触を解放してもよい。
【００８９】
図１１はロック位置の接続装置１０６を表す。ロック位置は電子装置４０１が装置１０と接続してもよい位置と規定されてもよい。
【００９０】
図１２は装置１０と電子装置４０１との接続を表す。
【００９１】
図１３は、歪み４０３が装置１０および／または電子装置４０１が抵抗することができる歪みの値を超えるか、または歪み４０３が装置１０および／または電子装置４０１の歪み閾値を超過する場合の装置１０の位置を表す。
【００９２】
図１４は、歪み４０２が装置１０および／または電子４０１が抵抗することができる歪みの値を超えるか、または歪み４０２が装置１０および／または電子装置４０１の歪み閾値を超過する場合の装置１０の位置を表す。
【００９３】
図１５は、電子装置４０１に接続する本発明の装置１０を備える機器７０１の具体的な実施形態を表す。
【００９４】
例示した実施形態に関して本発明を記載してきたが、様々な変形、修正および適応を本開示に基づいて行ってもよいこと、様々な変更、修正および適応は本開示の範囲内にあることを意図することが理解されるであろう。添付請求項は前述の実施形態、様々な前述の変形および同等物を含むものと解釈されることを意図する。
【図１】
2017509127.tif 000003
【図２】
2017509127.tif 000004
【図３】
2017509127.tif 000005
【図４】
2017509127.tif 000006
【図５】
2017509127.tif 000007
【図６】
2017509127.tif 000008
【図７】
2017509127.tif 000009
【図８】
2017509127.tif 000010
【図９】
2017509127.tif 000011
【図１０】
2017509127.tif 000012
【図１１】
2017509127.tif 000013
【図１２】
2017509127.tif 000014
【図１３】
2017509127.tif 000015
【図１４】
2017509127.tif 000016
【図１５】
2017509127.tif 000017
【国際調査報告】
2017509127.tif 000018
2017509127.tif 000019
2017509127.tif 000020